(57)【特許請求の範囲】
【請求項１】
エネルギー吸収層（２）と、
随意的に、前記エネルギー吸収層（２）の外側に配置されている外側シェル（１）と、
着用者の頭部にヘルメットを取り付けるために設けられている取り付けデバイス（３）であって、前記取り付けデバイス（３）は、少なくとも１つの固定部材（４）によって、前記エネルギー吸収層（２）及び／又は前記外側シェル（１）に固定されている、取り付けデバイス（３）と
を含む、ヘルメットであって、
前記取り付けデバイスは、前記頭部又は前記着用者の頭蓋骨の上部部分と少なくとも部分的に接触することを目的としており、
前記ヘルメットは、滑動促進部（５）をさらに含み、前記滑動促進部（５）は、前記エネルギー吸収層（２）の内側に設けられており、前記滑動促進部（５）は、前記エネルギー吸収層（２）と前記取り付けデバイス（３）との間に滑動機能を提供するために、前記取り付けデバイス（３）及び／又は前記エネルギー吸収層（２）の内側に固定されており、
衝撃の間、前記エネルギー吸収層（２）は、前記エネルギー吸収層を圧縮することによって衝撃吸収装置として作用し、前記滑動促進部（５）は、前記取り付けデバイスと前記エネルギー吸収層との間の滑動を可能にし、回転エネルギーを吸収するための制御された方法を可能にする、ことを特徴とするヘルメット。
【請求項２】
前記取り付けデバイスが、弾性の若しくは半弾性のポリマー材料から製作されるか、又は、天然繊維材料から製作される、請求項１に記載のヘルメット。
【請求項３】
前記取り付けデバイスが、ヘッド・バンド若しくは網、又は布の帽子を含む、請求項２に記載のヘルメット。
【請求項４】
前記取り付けデバイス（３）が、調節可能な、又は弾性のヘッド・バンドを含む、請求項２又は３に記載のヘルメット。
【請求項５】
前記取り付けデバイス（３）が、着用者の頭部を取り囲むように適合されたヘッド・バンドと、着用者の額から着用者の後頭部に延びる背腹方向のバンドと、着用者の頭部の側面左側から着用者の頭部の側面右側へ延びる側面方向のバンドとを含む、請求項２又は３に記載のヘルメット。
【請求項６】
前記取り付けデバイス（３）の少なくとも一部分は、低摩擦材料の継ぎ当て布の形態の滑動促進部（５）が設けられる、請求項１から５までのいずれか一項に記載のヘルメット。
【請求項７】
外側シェル（１）が、前記エネルギー吸収層の外側に配置されている、請求項１から６までのいずれか一項に記載のヘルメット。
【請求項８】
前記取り付けデバイス（３）が、少なくとも１つの固定部材（４）によって、前記エネルギー吸収層（２）及び／又は前記外側シェル（１）に固定されている、請求項１から７までのいずれか一項に記載のヘルメット。
【請求項９】
前記固定部材（４）が、弾性的に、半弾性的に、又は塑性的に変形することによって、エネルギー及び力を吸収することができる、請求項８に記載のヘルメット。
【請求項１０】
前記固定部材（４）が、第１の部分及び第２の部分を有する少なくとも１つのサスペンション部材（４）を含み、前記サスペンション部材（４）の前記第１の部分（８）は、前記取り付けデバイス（３）に固定されるように適合されており、前記サスペンション部材（４）の前記第２の部分（９）は、前記エネルギー吸収層（２）に固定されるように適合されている、請求項８又は９のいずれかに記載のヘルメット。
【請求項１１】
それぞれの滑動促進部（５）は、低摩擦材料であり、前記低摩擦材料は、前記エネルギー吸収層（２）に面する前記取り付けデバイス（３）の表面の上で、前記取り付けデバイス（３）に接続されているか、若しくは前記取り付けデバイス（３）と一体化されており、及び／又は、前記取り付けデバイス（３）に面する前記エネルギー吸収層（２）の前記内側表面の上に設けられているか、若しくは前記内側表面と一体化されている、請求項１から１０までのいずれか一項に記載のヘルメット。
【請求項１２】
請求項１から１１までのいずれか一項に記載のヘルメットを製造する方法であって、前記方法は、
型の中に前記エネルギー吸収層（２）を提供するステップと、
前記取り付けデバイス（３）に面する前記エネルギー吸収層（２）の内側、及び前記エネルギー吸収層（２）に面する前記取り付けデバイス（３）の外側のうちの少なくとも１つの上に、前記滑動促進部（５）を提供するステップと、
前記取り付けデバイス（３）及び前記エネルギー吸収層（２）のうちの少なくとも１つに、それぞれの前記滑動促進部（５）を固定するステップと、
前記エネルギー吸収層（２）、及び前記エネルギー吸収層（２）の外側に配置された外側シェル（１）のうちの１つに、少なくとも１つの固定部材を使用して、前記取り付けデバイスを固定するステップと
を含む、方法。
【発明の詳細な説明】
【技術分野】
【０００１】
本発明は、概して、外側シェルがある、又はないエネルギー吸収層と、エネルギー吸収層の内側に設けられた滑動促進部とを含むヘルメットに関する。
【背景技術】
【０００２】
頭蓋骨及び脳の傷害を防止又は低減するために、多くの活動でヘルメットが必要とされる。多くのヘルメットは、堅い外側シェルからなり、プラスチック又は複合材料、及びライナーと称されるエネルギー吸収層から製作されることが多い。今日、保護ヘルメットは、とりわけ、規定荷重において脳の重心で発生し得る最大加速度に関する特定の法的要件を満たすように設計されなければならない。通常、ヘルメットを装備したダミー・スカルとして知られるものが、頭部に向かって半径方向の打撃を受ける試験が実施される。これによって、頭蓋骨に対する半径方向の打撃の場合には良好なエネルギー吸収能力を有する最新のヘルメットがもたらされたが、他の荷重方向に対するエネルギー吸収は最適化されていない。
【０００３】
半径方向の衝撃の場合、頭部は、並進運動において加速され、結果として直線的な加速を生じることになる。並進方向の加速は、頭蓋骨の骨折、及び／又は、脳の組織の圧力傷害若しくは擦り傷を引き起こす可能性がある。しかし、傷害の統計によれば、純粋な半径方向の衝撃は稀である。
【０００４】
一方、純粋な角加速度を頭部にもたらす純粋な接線方向の衝突も稀である。
【０００５】
多くの通常のタイプの衝撃は、斜め方向の衝撃であり、斜め方向の衝撃は、頭部に同時に作用する半径方向の力と接線方向の力との組み合わせであり、例えば、脳震とうを引き起こす。斜め方向の衝撃は、脳の並進方向の加速及び回転方向の加速の両方を引き起こす。回転加速は、脳を頭蓋骨の中で回転させ、脳を頭蓋骨に接続する体の部位、及び脳を脳自身に接続する体の部位にも傷害を発生させる。
【０００６】
回転傷害の実例は、一方では、硬膜下血腫、ＳＤＨ、血管破裂の引き起こす出血であり、他方では、びまん性軸索損傷、ＤＡＩであり、それは、脳組織の中の高度の剪断変形の結果として神経線維が過度に引き延ばされるものとして簡単に述べることができる。継続時間、振幅、及び増加率などのような回転力の特性に応じて、ＳＤＨ若しくはＤＡＩのいずれかが発生し、又は、これらの組み合わせを被る。一般的に言えば、ＳＤＨは、短い期間の場合、且つ振幅が大きい場合に発生するが、ＤＡＩは、より長く、且つ、より広範囲の加速度荷重の場合に発生する。頭蓋骨及び脳のための良好な保護を提供することを可能にするために、これらの現象が考慮されることが重要である。
【０００７】
頭部は、頭皮、堅い頭蓋骨、及び、その下の脳脊髄液を使用して、これらの力を減衰させようと試みる自然の保護システムを有する。衝撃の間、頭皮及び脳脊髄液は、頭蓋骨全体にわたって圧縮及び滑動することの両方によって、回転方向の緩衝装置として作用する。今日使用される多くのヘルメットは、回転傷害に対する保護を提供していない。
【０００８】
例えば、自転車、乗馬、及びスキーのヘルメットの重要な特徴は、通気性が良く、空気力学的な形状を有するということである。最新の自転車ヘルメットは、通常、モールド成形プロセスの間に薄い硬質シェルを組み込むことによって製造されたインモールド・シェルのタイプである。この技術によって、堅いシェルのヘルメットよりも複雑な形状が可能になり、また、より大きな通気孔の形成も可能になる。
【発明の概要】
【課題を解決するための手段】
【０００９】
エネルギー吸収層と、エネルギー吸収層の内側に設けられた滑動促進部とを含むヘルメットが開示される。
【００１０】
一実施形態によれば、ヘルメットは、着用者の頭部にヘルメットを取り付けるための取り付けデバイスを含む。取り付けデバイスは、頭部又は頭蓋骨の上部部分と少なくとも部分的に接触することを目的としている。さらに、着用者の頭部の上部部分への取り付けのサイズ及び程度を調節するための締め付け手段を有することも可能である。あご紐などは、本実施形態のヘルメットによれば、取り付けデバイスではない。
【００１１】
滑動促進部が、エネルギー吸収層と取り付けデバイスとの間に滑動機能を提供するために、取り付けデバイス及び／又はエネルギー吸収層の内側に固定されることが可能である。
【００１２】
外側シェルが、エネルギー吸収層の外側に設けられていることが好ましい。これに従って設計されたヘルメットは、インモールド技術を使用して製造されることが可能であるが、例えば、オートバイのヘルメットなどのような堅いシェルタイプのヘルメットなど、全てのタイプのヘルメットにおいて開示された知識を使用することが可能である。
【００１３】
さらに別の実施形態によれば、取り付けデバイスが、少なくとも１つの固定部材によって、エネルギー吸収層及び／又は外側シェルに固定されており、固定部材は、弾性的に、半弾性的に、又は塑性的に変形することによって、エネルギー及び力を吸収するように適合されることが可能である。衝撃の間、エネルギー吸収層は、エネルギー吸収層を圧縮することによって衝撃吸収装置として作用し、外側シェルが使用される場合は、衝撃エネルギーをシェル全体に発散させることになる。滑動促進部は、取り付けデバイスとエネルギー吸収層との間の滑動を可能にすることとなり、そうでなければ脳に伝達される回転エネルギーを吸収するための制御された方法を可能にする。回転エネルギーは、摩擦熱、エネルギー吸収層の変形、又は、少なくとも１つの固定部材の変形若しくは変位によって、吸収されることが可能である。吸収された回転エネルギーは、脳に影響を与える回転加速度の量を低減し、したがって、頭蓋骨の中の脳の回転を低減することになる。
【００１４】
固定部材は、第１及び第２の部分を有する少なくとも１つのサスペンション部材を含むことが可能である。サスペンション部材の第１の部分は、エネルギー吸収層に固定されるように適合されることが可能であり、サスペンション部材の第２の部分は、取り付けデバイスに固定されるように適合されることが可能である。
【００１５】
滑動促進部は、ヘルメットに機能（滑動機能）を与え、多くの異なる形で提供されることが可能である。例えば、滑動促進部は、低摩擦材料であり、低摩擦材料は、エネルギー吸収層に面する取り付けデバイスの表面の上で、取り付けデバイスの上に設けられているか、若しくは取り付けデバイスと一体化されており、及び／又は、取り付けデバイスに面するエネルギー吸収層の内側表面の上に設けられているか、若しくは内側表面と一体化されている。
【００１６】
滑動促進部を含むヘルメットを製造する方法が、さらに提供される。本方法は、型を提供するステップと、型の中にエネルギー吸収層を提供するステップと、エネルギー吸収層に接触する滑動促進部を提供するステップとを含む。一実施形態によれば、本方法は、少なくとも１つの固定部材を使用して、シェル、エネルギー吸収層、及び滑動促進部のうちの少なくとも１つに取り付けデバイスを固定するステップをさらに含むことが可能である。
【００１７】
滑動促進部は、任意の方向への滑動運動の可能性を提供する。それは、特定の軸線の周りの運動に制限されない。
【００１８】
任意の実施形態、又は実施形態の任意の部分、及び、任意の方法、又は方法の任意の部分が、任意の態様に組み合わされることが可能であるということに留意されたい。
【００１９】
ここで、添付の図面を参照して、実例によって、本発明が説明される。
【図面の簡単な説明】
【００２０】
【図１】一実施形態によるヘルメットを断面で示す図である。
【図２】着用者の頭部に設置されたときの、一実施形態によるヘルメットを断面で示す図である。
【図３】正面の衝撃を受けるときの着用者の頭部に設置されたヘルメットを示す図である。
【図４】正面の衝撃を受けるときの着用者の頭部に設置されたヘルメットを示す図である。
【図５】取り付けデバイスをさらに詳細に示す図である。
【図６】固定部材の代替的な実施形態を示す図である。
【図７】固定部材の代替的な実施形態を示す図である。
【図８】固定部材の代替的な実施形態を示す図である。
【図９】固定部材の代替的な実施形態を示す図である。
【図１０】固定部材の代替的な実施形態を示す図である。
【図１１】固定部材の代替的な実施形態を示す図である。
【図１２】固定部材の代替的な実施形態を示す図である。
【図１３】固定部材の代替的な実施形態を示す図である。
【図１４】固定部材の代替的な実施形態を示す図である。
【図１５】固定部材の代替的な実施形態を示す図である。
【図１６】試験結果の表を示す図である。
【図１７】試験結果のグラフを示す図である。
【図１８】試験結果のグラフを示す図である。
【発明を実施するための形態】
【００２１】
以下、実施形態の詳細な説明が提供される。図は、単に説明のためだけのものであり、決して範囲を制限することはないということが認識されることになる。したがって、「上」又は「下」などのような方向の参照は、単に図の中に示された方向を参照しているだけである。
【００２２】
保護ヘルメットの一実施形態は、エネルギー吸収層と、エネルギー吸収層の内側に設けられた滑動促進部とを含む。一実施形態によれば、自転車に適したインモールド・ヘルメットが提供される。ヘルメットは、ポリカーボネート、ＡＢＳ、ＰＶＣ、ガラス繊維、アラミド繊維、Ｔｗａｒｏｎ、炭素繊維、又は、Ｋｅｖｌａｒなどのようなポリマー材料から製作された、好ましくは薄い、外側の硬質シェルを含む。また、外側シェルを除外することも考えられる。シェルの内側には、エネルギー吸収層が設けられおり、それは、例えば、ＥＰＳ（発砲ポリスチレン）、ＥＰＰ（発砲ポリプロピレン）、ＥＰＵ（発砲ポリウレタン）、又は、蜂の巣状の他の構造体などのようなポリマー発泡材料であることが可能である。滑動促進部は、エネルギー吸収層の内側に設けられ、エネルギー吸収層に対して滑動するように適合されており、又は、着用者の頭部にヘルメットを取り付けるために設けられた取り付けデバイスに対して滑動するように適合されている。取り付けデバイスは、衝撃エネルギー及び衝撃力を吸収するように適合された固定部材によって、エネルギー吸収層及び／又はシェルに固定されている。
【００２３】
滑動促進部は、低摩擦係数を有する材料であることが可能であり、又は、低摩擦材料で被覆されることが可能である。考えられる材料の実例は、ＰＩＦＥ、ＡＢＳ、ＰＶＣ、ＰＣ、Ｎｙｌｏｎ、布材料である。材料の構造によって、例えば、繊維構造を有する材料によって、滑動が可能になり、繊維が互いに滑動するようになっているということがさらに考えられる。
【００２４】
衝撃の間、エネルギー吸収層は、エネルギー吸収層を圧縮することによって衝撃吸収装置として作用し、外側シェルが使用される場合は、衝撃エネルギーをエネルギー吸収層全体に発散させることになる。滑動促進部は、取り付けデバイスとエネルギー吸収層との間の滑動を可能にすることとなり、そうでなければ脳に伝達される回転エネルギーを吸収するための制御された方法を可能にする。回転エネルギーは、摩擦熱、エネルギー吸収層の変形、又は、少なくとも１つの固定部材の変形若しくは変位によって、吸収されることが可能である。吸収された回転エネルギーは、脳に影響を与える回転加速度の量を低減し、したがって、頭蓋骨の中の脳の回転を低減することになる。硬膜下血腫、ＳＤＨ、血管破裂、脳震とう、及びＤＡＩなどのような回転傷害のリスクが、それによって低減される。
【００２５】
図１は、一実施形態実施形態によるヘルメットを示しており、ヘルメットはエネルギー吸収層２を含む。エネルギー吸収層２の外側表面１は、エネルギー吸収層２と同一の材料から提供されることが可能であり、又は、外側表面１は、エネルギー吸収層２とは異なる材料から製作された硬質シェル１であることも可能であるということも考えられる。滑動促進部５が、着用者の頭部にヘルメットを取り付けるために設けられた取り付けデバイス３に関連してエネルギー吸収層２の内側に提供されている。図１に示されている実施形態によれば、滑動促進部５は、エネルギー吸収層２に固定されているか、又はエネルギー吸収層２と一体化されている。しかし、エネルギー吸収層２と取り付けデバイス３との間に滑動機能を提供する同一の目的のために、滑動促進部５が、取り付けデバイス３の上に設けられるか、又は取り付けデバイス３と一体化されるということが同様に考えられる。図１のヘルメットは、ヘルメットを通る空気の流れを可能にする複数の通気孔１７を有している。
【００２６】
取り付けデバイス３は、４つの固定部材４ａ、４ｂ、４ｃ、及び４ｄによって、エネルギー吸収層２及び／又は外側シェル１に固定されており、固定部材４ａ、４ｂ、４ｃ、及び４ｄは、弾性的に、半弾性的に、又は塑性的に変形することによって、エネルギーを吸収するように適合されている。また、エネルギーは、熱を発生させる摩擦、及び／若しくは取り付けデバイスの変形、又はヘルメットの任意の他の部品を通して、吸収されることも可能である。図１に示されている実施形態によれば、４つの固定部材４ａ、４ｂ、４ｃ、及び４ｄは、第１及び第２の部分８、９を有するサスペンション部材４ａ、４ｂ、４ｃ、４ｄであり、サスペンション部材４ａ、４ｂ、４ｃ、４ｄの第１の部分８は、取り付けデバイス３に固定されるように適合されており、サスペンション部材４ａ、４ｂ、４ｃ、４ｄの第２の部分９は、エネルギー吸収層２に固定されるように適合されている。
【００２７】
滑動促進部５は、低摩擦材料であることが可能であり、示されている実施形態では、それは、エネルギー吸収層２に面する取り付けデバイス３の外側に設けられている。しかし、他の実施形態では、滑動促進部５が、エネルギー吸収層２の内側に設けられるということも同様に考えられる。低摩擦材料は、ΡＩＦΕ、ＰＦＡ、ＦＥＰ、ＰＥ、及びＵＨＭＷＰＥなどのようなワキシー・ポリマー（ｗａｘｙ  ｐｏｌｙｍｅｒ）、又は、潤滑剤を注入されることが可能な粉末材料であることが可能である。この低摩擦材料は、滑動促進部又はエネルギー吸収層のいずれか一方に、又は、滑動促進部及びエネルギー吸収層の両方に適用されることが可能であり、いくつかの実施形態では、エネルギー吸収層自身が、滑動促進部として作用するように適合されており、低摩擦材料を含むことが可能である。
【００２８】
取り付けデバイスは、ＰＣ、ＡＢＳ、ＰＶＣ、若しくはＰＩＦＥなどのような弾性の若しくは半弾性のポリマー材料から製作されるか、又は、綿布などのような天然繊維材料から製作されることが可能である。例えば、布又は網の帽子が、取り付けデバイスを形成していることが可能である。帽子には、低摩擦材料の継ぎ当て布のような滑動促進部が設けられることが可能である。いくつかの実施形態では、取り付けデバイス自身が、滑動促進部として作用するように適合されており、低摩擦材料を含むことが可能である。図１は、特定の着用者のためにヘッド・バンドの直径を調節するための調節デバイス６をさらに開示している。他の実施形態では、ヘッド・バンドは、弾性ヘッド・バンドであることが可能であり、その場合、調節デバイス６は、除外されることが可能である。
【００２９】
図２は、着用者の頭部に設置されたときの、図１のヘルメットと同様のヘルメットの実施形態を示している。しかし、図２では、取り付けデバイス３は、２つの固定部材４ａ、４ｂだけによってエネルギー吸収層に固定されており、エネルギー及び力を、弾性的に、半弾性的に、又は塑性的に吸収するように適合されている。図２の実施形態は、エネルギー吸収層２とは異なる材料から製作された堅い外側シェル１を含む。
【００３０】
図３は、正面斜め方向の衝撃Ｉを受けるときの、図２の実施形態によるヘルメットを示しており、衝撃Ｉは、ヘルメットに回転力を発生させ、エネルギー吸収層２を取り付けデバイス３に関連して滑動させる。取り付けデバイス３は、固定部材４ａ、４ｂによってエネルギー吸収層２に固定されている。固定部材は、弾性的に又は半弾性的に変形することによって回転力を吸収する。
【００３１】
図４は、正面斜め方向の衝撃Ｉを受けるときの、図２の実施形態によるヘルメットを示しており、衝撃Ｉは、ヘルメットに回転力を発生させ、エネルギー吸収層２を取り付けデバイス３に関連して滑動させる。取り付けデバイス３は、破壊する固定部材４ａ、４ｂによってエネルギー吸収層に固定されており、固定部材４ａ、４ｂは、塑性的に変形することによって回転エネルギーを吸収し、したがって、衝撃後に取り換えられる必要がある。図３及び図４の実施形態の組み合わせが、非常に考えられる。すなわち、固定部材の一部分が、破壊し、エネルギーを塑性的に吸収すると同時に、固定部材の別の部分は、変形し、弾性的に力を吸収する。組み合わせの実施形態では、塑性的に変形する部分だけが、衝撃後に取り換えられる必要があるということが考えられる。
【００３２】
図５の上側部分は、実施形態による取り付けデバイス３の外側を示しており、取り付けデバイス３は、着用者の頭部を取り囲むように適合されたヘッド・バンド３ａと、着用者の額から着用者の後頭部に延びており、ヘッド・バンド３ａに取り付けられている背腹方向のバンド３ｂと、着用者の頭部の側面左側から、着用者の頭部の側面右側へ延びており、ヘッド・バンド３ａに取り付けられている側面方向のバンド３ｃとを含む。取り付けデバイス３の部品又は部分は、滑動促進部を備えることが可能である。示されている実施形態では、取り付けデバイスの材料は、それ自身、滑動促進部として機能することが可能である。また、低摩擦材料が追加された取り付けデバイス３を提供することも考えられる。
【００３３】
図５は、取り付けデバイス３に固定された４つの固定部材４ａ、４ｂ、４ｃ、４ｄをさらに示している。他の実施形態では、取り付けデバイス３は、ヘッド・バンド３ａだけであることが可能であり、又は、着用者の頭部の上側部分を全体的に覆うように適合された全体的な帽子であることが可能であり、又は、着用者の頭部の上に装着するための取り付けデバイスとして機能する任意の他のデザインであることが可能である。
【００３４】
図５の下側部分は、取り付けデバイス３の内側を示しており、特定の着用者のためにヘッド・バンド３ａの直径を調節するための調節デバイス６を開示している。他の実施形態では、ヘッド・バンド３ａは、弾性のヘッド・バンドであることが可能であり、その場合、調節デバイス６は、除外されることが可能である。
【００３５】
図６は、固定部材４の代替的な実施形態を示しており、固定部材４の第１の部分８は、取り付けデバイス３に固定されており、固定部材４の第２の部分９は、接着剤によってエネルギー吸収層２に固定されている。固定部材４は、弾性的に、半弾性的に、又は塑性的に変形することによって、衝撃エネルギー及び衝撃力を吸収するように適合されている。
【００３６】
図７は、固定部材４の代替的な実施形態を示しており、固定部材４の第１の部分８は、取り付けデバイス３に固定されており、固定デバイス４の第２の部分９は、エネルギー吸収層２の材料に進入する機械的な固定エレメント１０によって、エネルギー吸収層２に固定されている。
【００３７】
図８は、固定部材４の代替的な実施形態を示しており、固定部材４の第１の部分８は、取り付けデバイス３に固定されており、固定デバイス４の第２の部分９は、例えば、エネルギー吸収層材料２の内側に固定デバイスをモールド成形することによって、エネルギー吸収層２の内側に固定されている。
【００３８】
図９は、固定部材４を、断面図及びＡ−Ａ図で示している。この実施形態によれば、取り付けデバイス３は、固定部材４によってエネルギー吸収層２に取り付けられており、固定部材４は、第２の部分９が、弾性的な、半弾性的な、又は塑性的な変形に適合された雌型部品１２の中に設置されており、第１の部分８が、取り付けデバイス３に接続されている。雌型部品１２は、フランジ１３を含んでおり、フランジ１３は、固定部材４によって十分に大きな歪みの条件下に置かれると、弾性的に、半弾性的に、又は塑性的に曲がる又は変形するように適合されており、第２の部分９が、雌型部品１２から離れることができるようになっている。
【００３９】
図１０は、固定部材４の代替的な実施形態を示しており、固定部材４の第１の部分８は、取り付けデバイス３に固定されており、固定デバイス４の第２の部分９は、エネルギー吸収層２を通り抜けてシェル１の内側に固定されている。このことは、例えば、エネルギー吸収層材料２の内側に固定デバイス４をモールド成形することによって行うことができる。また、ヘルメットの外側からシェル１の中の孔を通して固定デバイス４を設置するということも考えられる（図示せず）。
【００４０】
図１１は、実施形態を示しており、取り付けデバイス３が、その周辺部において、膜又はシーリング発泡体２４によって、エネルギー吸収層２に固定されており、それは、弾性であるか、又は、塑性変形に適合されていることが可能である。
【００４１】
図１２は、実施形態を示しており、取り付けデバイス３が、機械的な固定エレメントによって、エネルギー吸収層２に取り付けられており、機械的な固定エレメントは、自動ロック式のタイ・ストラップ４のものと同様に、自動ロック機能を備えた機械的な係合部材２９を含む。
【００４２】
図１３は、実施形態を示しており、固定する部材は、サンドイッチ布などのような相互接続サンドイッチ層２７であり、相互接続サンドイッチ層２７は、弾性的に、半弾性的に、又は塑性的に変形可能な繊維を含むことが可能であり、繊維は、取り付けデバイス３をエネルギー吸収層２に接続し、剪断力が適用されると剪断破壊するように適合されており、したがって、相互接続サンドイッチ層２７は、回転エネルギー又は回転力を吸収することが可能である。
【００４３】
図１４は、実施形態を示しており、固定する部材は、磁気的な固定する部材３０を含んでおり、固定する部材３０は、ハイパーマグネットなどのような、引き付ける力を備える２つの磁石を含むことが可能であり、又は、１つの部品が磁石を含み、１つの部品が、鉄などのような磁気的に引き付け力のある材料を含む。
【００４４】
図１５は、実施形態を示しており、固定する部材は、弾性雄型部品２８及び／又は弾性雌型部品１２によって再取り付け可能であり、弾性雄型部品２８及び／又は弾性雌型部品１２は、取り外し可能に接続（いわゆるスナップ固定）されており、衝撃の発生により十分に大きな歪みがヘルメットの上に引き起こされると雄型部品２８が雌型部品１２から取り外されるようになっており、雄型部品２８は、雌型部品１２の中に再挿入され、機能性を取り戻すことが可能である。また、固定する部材を十分に大きな歪みにおいて取り外し可能とすることなく、また再取り付け可能とすることなく、固定する部材をスナップ固定するということも考えられる。
【００４５】
本明細書に開示されている実施形態では、エネルギー吸収層と取り付けデバイスとの間の距離は、本発明の概念から離れることなく、ほとんどない状態からある実質的な距離まで変わることが可能である。
【００４６】
本明細書に開示されている実施形態では、固定部材が超弾性であり、その材料が弾性的にエネルギーを吸収し、同時に、完全に機能しなくなることなく、部分的に塑性的に変形するということがさらに一層考えられる。
【００４７】
複数の固定部材を含む実施形態では、固定部材のうちの１つが、十分に大きな歪みの条件下に置かれると塑性的に変形するように適合された主固定部材であり、一方、付加的な固定部材は、純粋に弾性変形のために適合されているということがさらに一層考えられる。
【００４８】
図１６は、滑動促進部（ＭＩＰＳ）を有することによるヘルメットを使用して実施された試験から得られた表であり、取り付けデバイスとエネルギー吸収層との間に滑動層のない通常のヘルメット（オリジナル）と関連している。試験は、水平方向に移動する鋼板に衝撃を与えるダミー・ヘッドが装備された自由落下によって実施された。斜め方向の衝撃は、並進方向の加速と回転方向の加速との組み合わせを結果として生じ、それは、一般の試験方法よりも現実的であり、一般の試験方法では、ヘルメットが、水平方向の衝撃表面に対して純粋に垂直方向の衝撃を与えるように落下させる。最大１０ｍ／ｓ（３６ｋｍ／ｈ）の速度が、水平方向及び垂直方向の両方に実現されることが可能である。ダミー・ヘッドの中に、並進加速度及び全ての軸線周りの回転加速度を計測するために搭載された９個の加速度計のシステムがある。現在の試験では、ヘルメットは、０．７メートルから落下させる。これは、３．７ｍ／ｓの垂直方向の速度を引き起こす。水平方向の速度は６．７ｍ／ｓが選択され、７．７ｍ／ｓ（２７．７ｋｍ／ｈ）の衝撃速度及び２９度の衝撃角度を結果として生じた。
【００４９】
試験は、頭部に伝達される並進加速度の低減と、頭部に伝達される回転加速度の大幅な低減と、頭部の回転速度の大幅な低減とを開示する。
【００５０】
図１７は、時間とともに回転加速度のグラフを示しており、滑動促進部（ＭＩＰＳ＿３５０；ＭＩＰＳ＿３５２）を有するヘルメットが、取り付けデバイスとダミー・ヘッドとの間に滑動層のない通常のヘルメット（Ｏｒｇ＿３４９；Ｏｒｇ＿３５１）に関連して示されている。
【００５１】
図１８は、時間とともに並進加速度のグラフを示しており、滑動促進部（ＭＩＰＳ＿３５０；ＭＩＰＳ＿３５２）を有するヘルメットが、取り付けデバイスとダミー・ヘッドとの間に滑動層のない通常のヘルメット（Ｏｒｇ＿３４９；Ｏｒｇ＿３５１）に関連して示されている。
【００５２】
任意の実施形態、又は実施形態の任意の部分、及び、任意の方法、又は方法の任意の部分が、任意の態様に組み合わされることが可能であるということに留意されたい。本明細書の全ての実例は、一般的な説明の一部分として理解されるべきであり、したがって、一般論として任意の態様に組み合わせることが可能である。
【図１】
0005998126.tif 000002
【図２】
0005998126.tif 000003
【図３】
0005998126.tif 000004
【図４】
0005998126.tif 000005
【図５】
0005998126.tif 000006
【図６】
0005998126.tif 000007
【図７】
0005998126.tif 000008
【図８】
0005998126.tif 000009
【図９】
0005998126.tif 000010
【図１０】
0005998126.tif 000011
【図１１】
0005998126.tif 000012
【図１２】
0005998126.tif 000013
【図１３】
0005998126.tif 000014
【図１４】
0005998126.tif 000015
【図１５】
0005998126.tif 000016
【図１６】
0005998126.tif 000017
【図１７】
0005998126.tif 000018
【図１８】
0005998126.tif 000019